(57)【要約】  目標閉極位相決定回路（８）は、三相電源（２）の第１乃至第３相の各残留磁束値と、三相遮断器（３）のプレアーク特性及び閉極時間ばらつき特性と、三相変圧器（１）の三相遮断器（３）が接続されている側の巻線の結線条件と、三相電源（２）の各相間の電圧位相差とに基づいて、投入後の定常状態において発生する変圧器磁束の中心値の絶対値の最大値である投入磁束誤差を、各相に対して第１相の閉極位相毎に決定し、決定された第１乃至第３相の投入磁束誤差の最大値を実質的に最小にするように、第１相の目標閉極位相を決定する。三相遮断器コントローラ（９）は、三相遮断器（３）を第１相の目標閉極位相のタイミングで閉極するように制御する。
2010035778.tif 000002
【特許請求の範囲】
【請求項１】
三相変圧器を三相電源に対して実質的に三相同時に投入する三相遮断器において当該投入時に当該三相変圧器に発生する過渡電流としての励磁突入電流を抑制する変圧器励磁突入電流抑制装置であって、
上記三相電源の第１乃至第３相の各残留磁束値と、上記三相遮断器のプレアーク特性及び閉極時間ばらつき特性と、上記三相変圧器の上記三相遮断器が接続されている側の巻線の結線条件と、上記三相電源の各相間の電圧位相差とに基づいて、投入後の定常状態において発生する変圧器磁束の中心値の絶対値の最大値である投入磁束誤差を、上記各相に対して上記第１相の閉極位相毎に決定し、上記決定された第１乃至第３相の投入磁束誤差に関する評価値を実質的に最小にするように、上記第１相の目標閉極位相を決定する目標閉極位相決定手段と、
上記三相遮断器を上記決定された第１相の目標閉極位相のタイミングで閉極するように制御する三相遮断器制御手段とを備えたことを特徴とする変圧器励磁突入電流抑制装置。
【請求項２】
上記評価値は、上記第１乃至第３相の投入磁束誤差の最大値であることを特徴とする請求項１記載の変圧器励磁突入電流抑制装置。
【請求項３】
上記評価値は、上記第１乃至第３相の投入磁束誤差の和であることを特徴とする請求項１記載の変圧器励磁突入電流抑制装置。
【請求項４】
上記目標閉極位相決定手段はさらに、上記第１相の閉極時間に対する他の二相の各閉極時間平均値のずれ量に基づいて上記投入磁束誤差を決定することを特徴とする請求項１乃至３のうちのいずれか１つの請求項記載の変圧器励磁突入電流抑制装置。
【請求項５】
上記目標閉極位相決定手段は、上記第１の残留磁束値の上限値及び下限値と、上記第２の残留磁束値の上限値及び下限値と、上記第３の残留磁束値の上限値及び下限値と、上記三相遮断器のプレアーク特性及び閉極時間ばらつき特性と、上記三相変圧器の上記三相遮断器が接続されている側の巻線の結線条件と、上記電圧位相差とに基づいて、上記投入磁束誤差を、上記各相に対して上記第１相の閉極位相毎に決定することを特徴とする請求項１乃至４のうちのいずれか１つの請求項記載の変圧器励磁突入電流抑制装置。
【請求項６】
各相の残留磁束値と上記目標閉極位相との間の関係を示すマップを格納するマップメモリをさらに備え、
上記目標閉極位相決定手段は、
上記第１乃至第３相の各残留磁束値の各組み合わせ毎に、上記第１乃至第３相の各残留磁束値と、上記三相遮断器のプレアーク特性及び閉極時間ばらつき特性と、上記三相変圧器の上記三相遮断器が接続されている側の巻線の結線条件と、上記電圧位相差とに基づいて、上記投入磁束誤差を上記各相に対して上記第１相の閉極位相毎に決定し、上記第１乃至第３相の投入磁束誤差に関する評価値を実質的に最小にするように、上記第１相の目標閉極位相を決定し、
上記第１乃至第３相の各残留磁束値の各組み合わせ毎に決定された上記第１相の目標閉極位相に基づいて上記マップを作成して予め上記マップメモリに格納し、
上記マップを参照して、上記第１乃至第３相の各残留磁束値に基づいて、上記第１相の目標閉極位相を決定することを特徴とする請求項１乃至４のうちのいずれか１つの請求項記載の変圧器励磁突入電流抑制装置。
【発明の詳細な説明】
【技術分野】
【０００１】
本発明は、変圧器を三相電源に実質的に三相同時に投入及び遮断する三相遮断器において、当該投入時に発生する励磁突入電流を抑制する変圧器励磁突入電流抑制装置に関する。
【背景技術】
【０００２】
変圧器の励磁突入電流を抑制する方式の一つとして、三相電源の特定の位相において遮断器を投入する位相制御投入方式が挙げられる。本発明は、位相制御投入方式を用いた変圧器励磁突入電流抑制装置に関するものである。【０００３】
従来のこの種の変圧器励磁突入電流抑制装置においては、例えば、特許文献１に記載の変圧器励磁突流抑制装置は、電子装置としての最適投入位相演算装置の入力信号に適するように三相変圧器の相電圧を降圧する降圧手段により、三相変圧器が遮断されたときの過渡的に変化し最終的に零になる各相の相電圧を降圧し、この降圧された３つの相電圧を入力信号として残留磁束演算手段により電圧を時間積分することによって三相変圧器の鉄心内の残留磁束を演算し、投入位相演算手段により投入時の磁束と投入位相及び残留磁束との関係式から導出される計算式を用いて励磁突流の発生しない３相それぞれ異なる最適の投入位相を演算してこの演算結果を最適投入位相演算装置の出力信号とし、この出力信号を遮断器の位相制御装置の投入位相信号として遮断器で各相個別に投入させている。【０００４】
また、特許文献２記載の変圧器励磁突入電流抑制装置は、三相のうちのいずれかの一相を閉極第一相とし、残り二相については、基準相の位相０度を基準点とし、前記残り二相の残留磁束を０として、前記閉極第一相の電源側電圧と変圧器側電圧との差である前記閉極第一相の極間電圧の電圧値よりも低い、前記残り二相の電源側電圧と変圧器側電圧との差である前記残り二相の極間電圧を、予め求められている前記三相遮断器のプレアーク特性及び閉極時間ばらつき特性に対して対応させることによって、投入磁束誤差が最小となる閉極位相を算出して前記残り二相の目標閉極位相として設定し、前記基準点から前記残り二相の目標閉極位相までの時間と前記閉極第一相の投入後に前記残り二相の残留磁束の直流分が０になる時間に基づいて予め設定しておいた前記三相電源の周期の整数倍に相当する遅延時間とを合計した時間を前記残り二相の目標閉極時刻として設定し、閉極指令が入力されると、前記目標閉極時刻において前記残り二相を閉極させる。
【先行技術文献】
【特許文献】
【０００５】
【特許文献１】特許第２６８５５７４号公報。
【特許文献２】特許第３８０４６０６号公報。
【特許文献３】特許第３７１６６９１号公報。
【発明の概要】
【発明が解決しようとする課題】
【０００６】
しかしながら、特許文献１に記載の変圧器励磁突流抑制装置では、遮断器の投入位相を決定するときに、当該遮断器の機械的な閉極時間のばらつき及びプレアークの影響が考慮されておらず、これらの要素により、実際には最適投入位相からずれた点で投入が行われることがあり、その際に過大な励磁突入電流が発生してしまうという問題点があった。また、特許文献２に記載の変圧器励磁突入電流抑制装置は、変圧器を三相電源に投入するときに、相毎に最適な目標閉極時刻を設定する。従って、変圧器を三相電源に対して三相同時に投入する遮断器には適用できなかった。【０００７】
本発明は上記従来の課題を解決し、三相変圧器を三相電源に実質的に三相同時に投入及び遮断する三相遮断器において、当該投入時に当該三相変圧器に発生する励磁突入電流を抑制できる変圧器励磁突入電流抑制装置を提供することにある。
【課題を解決するための手段】
【０００８】
本発明に係る変圧器励磁突入電流抑制装置は、三相変圧器を三相電源に対して実質的に三相同時に投入する三相遮断器において当該投入時に当該三相変圧器に発生する過渡電流としての励磁突入電流を抑制する変圧器励磁突入電流抑制装置であって、
三相電源の第１乃至第３相の各残留磁束値と、三相遮断器のプレアーク特性及び閉極時間ばらつき特性と、三相変圧器の三相遮断器が接続されている側の巻線の結線条件と、三相電源の各相間の電圧位相差とに基づいて、投入後の定常状態において発生する変圧器磁束の中心値の絶対値の最大値である投入磁束誤差を、各相に対して第１相の閉極位相毎に決定し、決定された第１乃至第３相の投入磁束誤差に関する評価値を実質的に最小にするように、第１相の目標閉極位相を決定する目標閉極位相決定手段と、
三相遮断器を決定された第１相の目標閉極位相のタイミングで閉極するように制御する三相遮断器制御手段とを備えたことを特徴とする。
【発明の効果】
【０００９】
本発明に係る変圧器励磁突入電流抑制装置によれば、三相電源の第１乃至第３相の各残留磁束値と、三相遮断器のプレアーク特性及び閉極時間ばらつき特性と、三相変圧器の三相遮断器が接続されている側の巻線の結線条件と、三相電源の各相間の電圧位相差とに基づいて、投入後の定常状態において発生する変圧器磁束の中心値の絶対値の最大値である投入磁束誤差を、各相に対して第１相の閉極位相毎に決定し、決定された第１乃至第３相の投入磁束誤差に関する評価値を実質的に最小にするように、第１相の目標閉極位相を決定する目標閉極位相決定手段を備えたので、励磁突入電流を、三相全てにおいて抑制することができる。
【図面の簡単な説明】
【００１０】
【図１】本発明の実施の形態１に係る変圧器励磁突入電流抑制装置４０の構成を示すブロック図である。
【図２】三相遮断器３が接続されている側の３つの巻線Ｌ１，Ｌ２及びＬ３がスター結線されかつ当該スター結線の中性点が接地されていない結線条件Iを示す回路図である。
【図３】巻線Ｌ１，Ｌ２及びＬ３がデルタ結線されている結線条件IIを示す回路図である。
【図４】巻線Ｌ１，Ｌ２及びＬ３がスター結線されかつ当該スター結線の中性点が接地されている結線条件IIIを示す回路図である。
【図５】（ａ）は図１の三相遮断器３のプレアーク特性及び閉極時間ばらつき特性を示すグラフであり、（ｂ）は、（ａ）の電圧位相θ１，θ２，θ３で接触子を投入した後の各変圧器磁束及び当該変圧器磁束の中心値φｃ１，φｃ２，φｃ３を示すグラフである。
【図６】図１の目標閉極位相決定回路８によって算出された、各閉極位相θｃａに対するＡ相，Ｂ相，Ｃ相の各投入磁束誤差Δφａ，Δφｂ，Δφｃの一例を示すグラフである。
【図７】（ａ）は、Ａ相，Ｂ相，Ｃ相の電源電圧ｙｐａ，ｙｐｂ，ｙｐｃをそれぞれ示すグラフであり、（ｂ）は、図６の目標閉極位相θｔａで閉極し電圧位相θｃｌｏｓｅで投入したときのＡ相，Ｂ相，Ｃ相の変圧器電圧ｙｔａ，ｙｔｂ，ｙｔｃをそれぞれ示すグラフであり、（ｃ）は、図６の目標閉極位相θｔａで閉極したときのＡ相，Ｂ相，Ｃ相の極間電圧の絶対値｜ｙｉａ｜，｜ｙｉｂ｜，｜ｙｉｃ｜及び耐電圧直線ｙｗａをそれぞれ示すグラフであり、（ｄ）は、図６の目標閉極位相θｔａで閉極し電圧位相θｃｌｏｓｅで投入したときのＡ相，Ｂ相，Ｃ相の三相投入後における各変圧器磁束を示すグラフである。
【図８】本発明の実施の形態３に係る変圧器励磁突入電流抑制装置４０Ａの構成を示すブロック図である。
【発明を実施するための形態】
【００１１】
以下、本発明に係る実施の形態について図面を参照して説明する。なお、以下の各実施の形態において、同様の構成要素については同一の符号を付している。
【００１２】
実施の形態１．
図１は、本発明の実施の形態１に係る変圧器励磁突入電流抑制装置４０の構成を示すブロック図である。図１において、変圧器励磁突入電流抑制装置４０は、残留磁束測定回路６と、三相遮断器特性メモリ７と、目標閉極位相決定回路８と、三相遮断器コントローラ９とを備えて構成される。
【００１３】
図１において、三相電源２は、Ａ相、Ｂ相及びＣ相の各電源電圧ｙｐａ，ｙｐｂ及びｙｐｃを発生して、三相遮断器の各接触子３ａ，３ｂ及び３ｃにそれぞれ出力する。さらに、三相遮断器３の各接触子３ａ，３ｂ及び３ｃは三相変圧器１の三相遮断器３側の巻線Ｌ１，Ｌ２及びＬ３に接続される。
【００１４】
三相変圧器１において、三相遮断器３が接続されている側の３つの巻線Ｌ１，Ｌ２及びＬ３は、以下の結線条件I，II，IIIのうちのいずれかひとつで互いに結線されている。図２は、三相遮断器３が接続されている側の３つの巻線Ｌ１，Ｌ２及びＬ３がスター結線（星形結線又はＹ結線ともいう。）されかつ当該スター結線の中性点が接地されていない結線条件Iを示す回路図であり、図３は、巻線Ｌ１，Ｌ２及びＬ３がデルタ結線（三角結線ともいう。）されている結線条件IIを示す回路図であり、図４は、巻線Ｌ１，Ｌ２及びＬ３がスター結線されかつ当該スター結線の中性点が接地されている結線条件IIIを示す回路図である。なお、三相変圧器１の、三相遮断器３が接続されていない側の各巻線（図示しない。）は、結線条件I〜IIIのいずれかによって接続されている。また、三相変圧器１は負荷に接続されていない無負荷の状態にある。
【００１５】
三相遮断器３の接触子３ａ，３ｂ，３ｃは、三相遮断器コントローラ９からの開極制御信号Ｓｏ及び閉極制御信号Ｓｃに応答して、連動して実質的に同時に開極及び閉極される。また、電圧測定器５は、基準相であるＡ相の対地電圧を測定して、当該測定結果を示す測定信号Ｓｖａを発生して三相遮断器コントローラ９に出力する。電圧測定器４は、電圧測定器４ａ，４ｂ及び４ｃを備える。電圧測定器４ａ，４ｂ及び４ｃは、Ａ相、Ｂ相及びＣ相の三相変圧器１の対地電圧をそれぞれ測定して、当該測定結果を示す測定信号Ｓ４ａ、Ｓ４ｂ及びＳ４ｃを発生して残留磁束測定回路６に出力する。ここで、電圧測定器５，４ａ，４ｂ，４ｃはそれぞれ、高電圧回路において一般的に用いられる交流電圧測定用センサによって構成される。
【００１６】
次に、図５を参照して、三相遮断器３のプレアーク特性及び閉極時間ばらつき特性を説明する。図５において、（ａ）は、図１の三相遮断器３のプレアーク特性及び閉極時間ばらつき特性を示すグラフである。なお、三相遮断器３の各接触子３ａ，３ｂ，３ｃは互いに同一のプレアーク特性及び閉極時間ばらつき特性を有し、以下、接触子３ａ，３ｂ，３ｃを区別しないときには、単に、接触子又は三相遮断器３という。
【００１７】
三相遮断器３の接触子３ａ，３ｂ，３ｃはそれぞれ、入力される閉極指令信号Ｓｃに応答して、当該閉極指令信号Ｓｃが出力されてから所定の機械的な動作時間が経過した後に、機械的に接触する。接触子が機械的に接触するタイミングを閉極といい、上記機械的な動作時間を閉極時間という。閉極時間は、三相遮断器３の周囲温度や操作油圧、制御電圧及び休止時間に依存する。また、閉極前に先行放電によって接触子に主回路電流が流れ始めることが知られている。この先行放電はプレアークと呼ばれており、上記主回路電流が流れ始めるタイミングを投入という。ここで、投入のタイミングは、後述するように、三相遮断器３の接触子の極間に印加される電圧である極間電圧の絶対値に依存する。以下の各実施の形態において、接触子のプレアークの特性をプレアーク特性という。上述のように、接触子３ａ，３ｂ，３ｃは、同一のプレアーク特性を有する。
【００１８】
さらに、各接触子は機械的な動作ばらつきを有しており、所定のタイミングで閉極指令信号を入力したときに、実際に接触子が閉極するタイミングの確率分布は、当該所定のタイミングに対応する閉極時間を中心としてばらつく正規分布になる。この接触子の閉極時間のばらつきの特性を、閉極時間ばらつき特性という。接触子３ａ，３ｂ，３ｃは、同一の閉極時間ばらつき特性を有する。
【００１９】
図５（ａ）において、耐電圧直線Ｌｗは、接触子を電圧位相θ０を有する閉極点Ｐ０において閉極させたときの、当該接触子の極間電圧の電圧位相（以下、接触子の電圧位相という。）に対する当該接触子の極間の耐電圧値の関係を示す。接触子において、耐電圧値よりも極間電圧の絶対値が低いときには当該接触子は投入されず、耐電圧直線Ｌｗと極間電圧の絶対値との交点である投入点Ｐ１では、接触子間の耐電圧値が極間電圧の絶対値と等しくなるのでプレアークが発生して当該接触子が投入される。このように、接触子において、投入点Ｐ１の電圧位相θ１は閉極時の電圧位相θ０とは異なるので、励磁突入電流を抑制するために最適な目標閉極位相を決定するときには、プレアーク特性を考慮する必要がある。
【００２０】
さらに、上述のように、三相遮断器３の接触子は閉極時間ばらつき特性を有するので、目標閉極位相θ０で閉極するように制御しても、投入点Ｐ１で投入されるとは限らない。図５（ａ）に、閉極時間ばらつきが±１ミリ秒（電圧位相ばらつきΔθｖに対応する）であるときの、耐電圧直線Ｌｗの変動範囲を破線Ｌｗ１及びＬｗ２で示す。さらに、三相遮断器３の接触子には極間の放電ばらつきが存在するので、耐電圧直線Ｌｗの傾きはばらつく。図５（ａ）に、閉極時間ばらつきが±１ミリ秒であり、かつ耐電圧直線Ｌｗの傾きが±１０％だけばらつくときの、耐電圧直線Ｌｗの変動範囲を実線Ｌｗ３及びＬｗ４で示す。接触子の閉極時間ばらつき及び耐電圧直線Ｌｗの傾きのばらつきを考慮すると、図５（ａ）に示した例では、目標閉極点Ｐ０で閉極するように制御しても、最小の耐電圧値を有する耐電圧直線Ｌｗ３と極間電圧の絶対値との交点Ｐ２の電圧位相θ２と、最大の耐電圧値を有する耐電圧直線Ｌｗ４と極間電圧の絶対値との交点Ｐ３の電圧位相θ３との間のいずれかの電圧位相で投入されることになる。
【００２１】
ここで、三相遮断器３の投入後の定常状態において、正弦波形状を有する変圧器磁束が発生する。三相遮断器３の投入後に三相変圧器１に発生する励磁突入電流を抑制するためには、電圧位相θ２〜θ３のうち上記正弦波形状を有する発生する変圧器磁束の中心値（最大値と最小値との平均値である）の絶対値が最も小さくなる電圧位相で当該三相遮断器３の接触子を投入すればよい。図５において、（ｂ）は、図５（ａ）の電圧位相θ１，θ２，θ３で接触子を投入した後の各変圧器磁束及び当該変圧器磁束の中心値φｃ１，φｃ２，φｃ３を示すグラフである。図５（ｂ）において、電圧位相θ２，θ３間の各電圧位相で投入された後における変圧器磁束の中心値の絶対値の最大値を投入磁束誤差Δφと定義する。例えば、図５（ｂ）に示した例では、投入磁束誤差Δφは電圧位相θ３で投入したときの変圧器磁束の中心値φｃ３の絶対値である。
【００２２】
図１の変圧器励磁突入電流抑制装置４０において、残留磁束測定回路６は、電圧測定器４からの測定信号Ｓ４ａ，Ｓ４ｂ，Ｓ４ｃをそれぞれ積分する３つの積分回路と、三相遮断器コントローラ９からの開極制御信号Ｓｏに応答して、測定信号Ｓ４ａ，Ｓ４ｂ，Ｓ４ｃ及び当該各積分結果の各信号に基づいて、三相遮断器３の遮断（開極）後の各相毎の残留磁束値φｒａ，φｒｂ，φｒｃを演算し、残留磁束値φｒａ，φｒｂ，φｒｃを示す信号Ｓ６ａ、Ｓ６ｂ、Ｓ６ｃを発生して出力する演算回路とを備える。上記演算回路は、開極指令信号を受信した後、測定信号Ｓ４ａに基づいてＡ相の電圧値がゼロに収束したタイミングを検出し、当該タイミングにおける測定信号Ｓ４ａの積分結果の信号に基づいてＡ相の残留磁束値φｒａを演算する。さらに、Ａ相の残留磁束値φｒａと同様に、Ｂ相の残留磁束値φｒｂ及びＣ相の残留磁束値φｒｃを演算する。
【００２３】
三相遮断器特性メモリ７は、予め測定された三相遮断器３のプレアーク特性に関するデータ、閉極時間ばらつき特性に関するデータ及び三相変圧器１の三相遮断器３側の巻線Ｌ１，Ｌ２，Ｌ３の結線条件に関するデータを格納する。ここで、プレアーク特性に関するデータは、電源電圧の電圧位相が０度のときの当該電源電圧の接線の傾きを１としたときの耐電圧直線Ｌｗの傾きの値及び当該傾きのばらつきの値（％）であり、閉極時間ばらつき特性に関するデータは、閉極時間のばらつきの値（ミリ秒）である。また、三相変圧器１の三相遮断器３側の巻線Ｌ１，Ｌ２，Ｌ３の結線条件に関するデータは、上記結線条件I〜IIIを示す所定のフラグ値である。
【００２４】
目標閉極位相決定回路８は、所定のタイミングで三相遮断器特性メモリ７から三相遮断器３のプレアーク特性、閉極時間ばらつき特性及び三相変圧器１の三相遮断器３側の巻線の結線条件に関するデータに関する各データを読み出し、残留磁束測定回路６からの残留磁束値φｒａ，φｒｂ，φｒｃを示す信号Ｓ６ａ，Ｓ６ｂ，Ｓ６ｃと、読み出された三相遮断器３のプレアーク特性及び閉極時間ばらつき特性に関するデータと、三相変圧器１の三相遮断器３が接続されている側の巻線の結線条件と、三相電源２の各相間の電圧位相差（１２０度である。）に基づいて、後述するように、各相の投入磁束誤差Δφａ，Δφｂ，Δφｃを、基準相の閉極位相毎に算出する。さらに、目標閉極位相決定回路８は、各相の投入磁束誤差Δφａ，Δφｂ，Δφｃの最大値を最小にするように、基準相（以下、Ａ相として説明する）の目標閉極位相θｔａを決定し、決定された目標閉極位相θｔａを示す信号を発生して三相遮断器コントローラ９に出力する。
【００２５】
三相遮断器コントローラ９は、上位の制御装置から入力される開極指令Ｃｏに応答して、開極制御信号Ｓｏを発生して三相遮断器３及び残留磁束測定回路６に出力する。また、三相遮断器コントローラ９は、上位の制御装置から入力される閉極指令Ｃｃに応答して、目標閉極位相決定回路８からの目標閉極位相に基づいて接触子３ａの電圧位相が０度であるタイミングから当該目標閉極位相に対応するタイミングまでの経過時間（以下、目標閉極時間という。）を算出すると共に、電圧測定器５からのＡ相の対地電圧を示す測定信号Ｓｖａに基づいて、Ａ相の電圧位相が０度であるタイミングを検出する。そして、三相変圧器１が負荷に接続されていない無負荷時に、検出されたタイミングから上記目標閉極時間だけ時間が経過したタイミングで三相遮断器３が閉極されるように、閉極制御信号を発生して三相遮断器３に出力する。
【００２６】
次に、目標閉極位相決定回路８において各相の投入磁束誤差Δφａ，Δφｂ，Δφｃを算出する方法を、定格電圧印加時における三相変圧器１の磁束振幅を定格値で規格化して１ＰＵ（Per Unit）として説明する。
【００２７】
目標閉極位相決定回路８は、基準相（Ａ相）の電源電圧を基準とした閉極電圧位相（以下、閉極位相という。）θｃａを０度〜３６０度の範囲内で所定の間隔（例えば、１度である。）で変化させ、各閉極電圧位相毎に各投入磁束誤差Δφａ，Δφｂ，Δφｃを以下のようにそれぞれ算出する。
【００２８】
三相遮断器３の各接触子の閉極時間ばらつきが±１ミリ秒であり、耐電圧直線の傾きのばらつきが±１０％であるときには、Ａ相の閉極電圧位相α、Ｂ相の閉極電圧位相β及びＣ相の閉極電圧位相γを以下の式（１）〜（３）の範囲内で所定の間隔でそれぞれ変化させ、かつ、耐電圧直線の傾きｒを、耐電圧直線の傾きの中心値ｒａを用いて、以下の式（２）の範囲内で所定の間隔で変化させる。
【００２９】
（θｃａ−Δθｖ）≦α≦（θｃａ＋Δθｖ）          （１）
（θｃａ−Δθｖ）≦β≦（θｃａ＋Δθｖ）          （２）
（θｃａ−Δθｖ）≦γ≦（θｃａ＋Δθｖ）          （３）
ｒａ×０．９≦ｒ≦ｒａ×１．１        （４）
【００３０】
ここで、式（１）〜（３）において、Δθｖは、閉極時間ばらつきの大きさ（例えば、１ミリ秒である。）に対応する電圧位相ばらつきの大きさである。
【００３１】
目標閉極位相決定回路８は、各相の閉極電圧位相α，β，γ及び耐電圧直線の傾きｒを式（１）〜（４）の範囲内でそれぞれ変化させ、各相の耐電圧直線と極間電圧の絶対値の交点（例えば、図５の交点Ｐ１である。）である各投入電圧位相θａ，θｂ，θｃと、投入後の変圧器磁束の中心値の各絶対値φｃａ，φｃｂ，φｃｃとをそれぞれ求め、当該変圧器磁束の中心値の各絶対値φｃａ，φｃｂ，φｃｃの各最大値である各投入磁束誤差Δφａ，Δφｂ，Δφｃをそれぞれ求める。ここで、変圧器磁束の中心値の各絶対値φｃａ，φｃｂ，φｃｃは、三相変圧器１の三相遮断器３側の巻線の結線条件I〜III及び投入された相の数に依存する。
【００３２】
次に、変圧器磁束の中心値の各絶対値φｃａ，φｃｂ，φｃｃの計算方法を、三相変圧器１の三相遮断器３側の巻線の結線条件I〜III毎に説明する。なお、Ａ相，Ｂ相，Ｃ相の各電源電圧ｙｐａ，ｙｐｂ，ｙｐｃを、Ａ相の電圧位相θを用いて以下のようにそれぞれ定義する。
ｙｐａ＝ｓｉｎθ
ｙｐｂ＝ｓｉｎ（θ−１２０°）
ｙｐｃ＝ｓｉｎ（θ−２４０°）
【００３３】
I. 三相遮断器３が接続されている側の３つの巻線Ｌ１，Ｌ２，Ｌ３がスター結線されかつ当該スター結線の中性点が接地されていない結線条件Iの場合:
【００３４】
（１）１相目投入時：
Ａ相，Ｂ相，Ｃ相の各変圧器電圧ｙｔａ，ｙｔｂ，ｙｔｃは、以下のようにゼロである。
ｙｔａ＝０
ｙｔｂ＝０
ｙｔｃ＝０
【００３５】
このとき、Ａ相，Ｂ相，Ｃ相の各極間電圧ｙｉａ，ｙｉｂ，ｙｉｃはそれぞれ、以下の式で表される。
ｙｉａ＝ｙｐａ−ｙｔａ＝ｙｐａ
ｙｉｂ＝ｙｐｂ−ｙｔｂ＝ｙｐｂ
ｙｉｃ＝ｙｐｃ−ｙｔｃ＝ｙｐｃ
【００３６】
また、Ａ相，Ｂ相，Ｃ相の各耐電圧直線ｙｗａ，ｙｗｂ，ｙｗｃはそれぞれ、以下の式で表される。
ｙｗａ＝ｒ×（θ−α）
ｙｗｂ＝ｒ×（θ−β）
ｙｗｃ＝ｒ×（θ−γ）
【００３７】
以下の３式を電圧位相θに関してそれぞれ解くことにより、各相の投入電圧位相を算出し、算出された投入電圧位相のうち、最も早く投入された相の投入電圧位相を求める。
｜ｙｉａ｜＝ｙｗａ
｜ｙｉｂ｜＝ｙｗｂ
｜ｙｉｃ｜＝ｙｗｃ
【００３８】
例えば、Ａ相が最も早く投入されたとすると、Ａ相の位相を投入電圧位相θａと決定する。なお、複数の相の投入位相が同一の場合は、当該同一の位相を当該複数の相の投入電圧位相と決定してよい。
（２）２相目投入時：
１相目投入後のＡ相，Ｂ相，Ｃ相の各変圧器電圧ｙｔａ，ｙｔｂ，ｙｔｃは、投入第１相の電源電圧に一致する。従って、例えば、Ａ相が投入第１相であるときには、Ａ相，Ｂ相，Ｃ相の各変圧器電圧ｙｔａ，ｙｔｂ，ｙｔｃはそれぞれ、以下の式で表される。
ｙｔａ＝ｙｐａ
ｙｔｂ＝ｙｐａ
ｙｔｃ＝ｙｐａ
【００３９】
このとき、Ａ相，Ｂ相，Ｃ相の各極間電圧ｙｉａ，ｙｉｂ，ｙｉｃはそれぞれ、以下の式で表される。
ｙｉａ＝ｙｐａ−ｙｔａ＝０
ｙｉｂ＝ｙｐｂ−ｙｔｂ＝ｙｐｂ−ｙｐａ
ｙｉｃ＝ｙｐｃ−ｙｔｃ＝ｙｐｃ−ｙｐａ
【００４０】
未投入相、すなわち本例ではＢ相及びＣ相に関して、以下の２式を電圧位相θに関してそれぞれ解くことにより、各相の投入電圧位相を算出し、算出された投入電圧位相のうち、最も早く投入された相の投入電圧位相を求める。
｜ｙｉｂ｜＝ｙｗｂ
｜ｙｉｃ｜＝ｙｗｃ
【００４１】
例えば、Ｂ相が最も早く投入されたとすると、Ｂ相の位相を投入電圧位相θｂと決定する。なお、複数の相の投入位相が同一の場合は、当該同一の位相を当該複数の相の投入電圧位相と決定してよい。
【００４２】
（３）３相目投入時：
２相目投入後のＡ相，Ｂ相，Ｃ相の各変圧器電圧ｙｔａ，ｙｔｂ，ｙｔｃは、投入済の相については電源電圧に一致し、未投入相については、投入済二相の電源電圧の平均値に一致する。従って、例えば、未投入相がＣ相であるときには、Ａ相，Ｂ相，Ｃ相の各変圧器電圧ｙｔａ，ｙｔｂ，ｙｔｃはそれぞれ、以下の式で表される。
ｙｔａ＝ｙｐａ
ｙｔｂ＝ｙｐｂ
ｙｔｃ＝（ｙｐａ＋ｙｐｂ）／２
【００４３】
このとき、Ａ相，Ｂ相，Ｃ相の各極間電圧ｙｉａ，ｙｉｂ，ｙｉｃはそれぞれ、以下の式で表される。
ｙｉａ＝ｙｐａ−ｙｔａ＝０
ｙｉｂ＝ｙｐｂ−ｙｔｂ＝０
ｙｉｃ＝ｙｐｃ−ｙｔｃ＝ｙｐｃ−（ｙｐａ＋ｙｐｂ）／２
【００４４】
未投入相、すなわち本例ではＣ相に関して、以下の式を電圧位相θに関して解くことにより、Ｃ相の投入電圧位相θｃを決定する。
｜ｙｉｃ｜＝ｙｗｃ
【００４５】
このとき、三相投入後の各変圧器磁束の中心値の絶対値φｃａ，φｃｂ，φｃｃはそれぞれ、投入第二相の投入電圧位相Θ２を用いて以下のように求められる。
【００４６】
（１）投入電圧位相θa及びθbが投入位相θc以下（θａ，θｂ≦θｃ）の場合：
【数１】
2010035778.tif 000003
【数２】
2010035778.tif 000004
【数３】
2010035778.tif 000005
（２）投入電圧位相θｂ及びθｃが投入位相θａ以下（θｂ，θｃ≦θａ）の場合：
【数４】
2010035778.tif 000006
【数５】
2010035778.tif 000007
【数６】
2010035778.tif 000008
（３）投入電圧位相θｃ及びθａが投入位相θｂ以下（θｃ，θａ≦θｂ）の場合：
【数７】
2010035778.tif 000009
【数８】
2010035778.tif 000010
【数９】
2010035778.tif 000011
【００４７】
II. 三相遮断器３が接続されている側の３つの巻線Ｌ１，Ｌ２，Ｌ３がデルタ結線されている結線条件IIの場合：
【００４８】
Ａ相，Ｂ相，Ｃ相の各投入電圧位相θａ，θｂ，θｃは、上述した結線条件Iの時と同様に算出される。さらに、三相投入後の各変圧器磁束の中心値の絶対値φｃａ，φｃｂ，φｃｃはそれぞれ、投入第二相の投入電圧位相Θ２及び投入第３相の投入電圧位相Θ３を用いて以下のように求められる。
【００４９】
（１）投入電圧位相θa及びθbが投入位相θc以下（θａ，θｂ≦θｃ）の場合：
【数１０】
2010035778.tif 000012
【数１１】
2010035778.tif 000013
【数１２】
2010035778.tif 000014
【００５０】
（２）投入電圧位相θｂ及びθｃが投入位相θａ以下（θｂ，θｃ≦θａ）の場合：
【数１３】
2010035778.tif 000015
【数１４】
2010035778.tif 000016
【数１５】
2010035778.tif 000017
【００５１】
（３）投入電圧位相θｃ及びθａが投入位相θｂ以下（θｃ，θａ≦θｂ）の場合：
【数１６】
2010035778.tif 000018
【数１７】
2010035778.tif 000019
【数１８】
2010035778.tif 000020
【００５２】
III. 三相遮断器３が接続されている側の３つの巻線Ｌ１，Ｌ２，Ｌ３がスター結線されかつ当該スター結線の中性点が接地されている結線条件IIIの場合：
【００５３】
（１）１相目投入時：
上述した結線条件I，IIにおける１相目投入時と同様に投入電圧位相が算出される。
【００５４】
（２）２相目及び３相目投入時：
１相目投入後は、投入第１相に対応する変圧器電圧は当該投入第１相の電源電圧に一致し、残り二相の変圧器電圧は、投入第１相の電源電圧の逆相の１／２となる。従って、例えば、Ａ相が投入第１相であるときには、Ａ相，Ｂ相，Ｃ相の各変圧器電圧ｙｔａ，ｙｔｂ，ｙｔｃはそれぞれ、以下の式で表される。
ｙｔａ＝ｙｐａ
ｙｔｂ＝−ｙｐａ／２
ｙｔｃ＝−ｙｐａ／２
【００５５】
このとき、Ａ相，Ｂ相，Ｃ相の各極間電圧ｙｉａ，ｙｉｂ，ｙｉｃはそれぞれ、以下の式で表される。
ｙｉａ＝ｙｐａ−ｙｔａ＝０
ｙｉｂ＝ｙｐｂ−ｙｔｂ＝ｙｐｂ＋ｙｐａ／２
ｙｉｃ＝ｙｐｃ−ｙｔｃ＝ｙｐｃ＋ｙｐａ／２
【００５６】
未投入相、すなわち本例ではＢ相及びＣ相に関して、以下の２式を電圧位相θに関してそれぞれ解くことにより、各相の投入電圧位相を算出し、算出された投入電圧位相のうち、最も早く投入された相の投入電圧位相を求める。
｜ｙｉｂ｜＝ｙｗｂ
｜ｙｉｃ｜＝ｙｗｃ
【００５７】
例えば、Ｂ相が最も早く投入されたとすると、Ｂ相の位相を投入電圧位相θｂと決定する。なお、２相投入された時点で、残りの１相の変圧器に発生している磁束は三相投入後の変圧器磁束と同様となるので、当該残りの１相の投入電圧位相θｃもＢ相の投入電圧位相θｂと同じである。
【００５８】
このとき、三相投入後の各変圧器磁束の中心値の絶対値φｃａ，φｃｂ，φｃｃはそれぞれ、投入第二相の投入電圧位相Θ２を用いて以下のように求められる。
【００５９】
（１）投入電圧位相θaが投入位相θb，θc以下（θa≦θb，θc）の場合：
【数１９】
2010035778.tif 000021
【数２０】
2010035778.tif 000022
【数２１】
2010035778.tif 000023
【００６０】
（２）投入電圧位相θｂが投入位相θｃ，θａ以下（θb≦θc，θa）の場合：
【数２２】
2010035778.tif 000024
【数２３】
2010035778.tif 000025
【数２４】
2010035778.tif 000026
【００６１】
（３）投入電圧位相θｃが投入位相θａ，θｂ以下（θc≦θa，θb）の場合：
【数２５】
2010035778.tif 000027
【数２６】
2010035778.tif 000028
【数２７】
2010035778.tif 000029
【００６２】
以上のようにして求められた三相投入後の各変圧器磁束の中心値の絶対値φｃａ，φｃｂ，φｃｃについて、式（１）〜（４）の範囲内での最大値を相毎に算出し、閉極位相θｃａでの各相の投入磁束誤差Δφａ，Δφｂ，Δφｃとする。
【００６３】
図６は、図１の目標閉極位相決定回路８によって算出された、各閉極位相θｃａに対するＡ相，Ｂ相，Ｃ相の各投入磁束誤差Δφａ，Δφｂ，Δφｃの一例を示すグラフである。なお、図６において、以下の値を仮定した。
（１）結線条件が上記結線条件Iである（スター結線であって中性点非接地）；
（２）閉極時間ばらつきの値＝±１ミリ秒；
（３）電源電圧が０度のときの接線の傾きを１としたときの耐電圧直線の傾き＝０．８；
（４）上記耐電圧直線の傾きのばらつき＝±１０％；
（５）Ａ相の残留磁束値φｒａ＝−０．５ＰＵ；
（６）Ｂ相の残留磁束値φｒｂ＝０ＰＵ；
（７）Ｃ相の残留磁束値φｒｃ＝＋０．５ＰＵ．
【００６４】
次に、図６を参照して、目標閉極位相決定回路８において基準相（Ａ相）の目標閉極位相θｔａを決定する方法を説明する。目標閉極位相決定回路８は、図６中の電圧位相０〜３６０度の中から、三相の各投入磁束誤差Δφａ，Δφｂ，Δφｃの最大値が最小となるようなＡ相の閉極電圧位相θｃａを決定する。図６に示した例では、Ａ相の閉極位相θｃａが９６度のときに、三相の各投入磁束誤差Δφａ，Δφｂ，Δφｃの最大値が最小となるので、目標閉極位相θｔａは９６度に決定される。
【００６５】
図７において、（ａ）は、Ａ相，Ｂ相，Ｃ相の電源電圧ｙｐａ，ｙｐｂ，ｙｐｃをそれぞれ示すグラフであり、（ｂ）は、図６の目標閉極位相θｔａで閉極し電圧位相θｃｌｏｓｅで投入したときのＡ相，Ｂ相，Ｃ相の変圧器電圧ｙｔａ，ｙｔｂ，ｙｔｃをそれぞれ示すグラフであり、（ｃ）は、図６の目標閉極位相θｔａで閉極したときのＡ相，Ｂ相，Ｃ相の極間電圧の絶対値｜ｙｉａ｜，｜ｙｉｂ｜，｜ｙｉｃ｜及び耐電圧直線ｙｗａをそれぞれ示すグラフであり、（ｄ）は、図６の目標閉極位相θｔａで閉極し電圧位相θｃｌｏｓｅで投入したときのＡ相，Ｂ相，Ｃ相の三相投入後における各変圧器磁束を示すグラフである。
【００６６】
以上詳述したように、本実施の形態によれば、目標閉極位相決定回路８は、各相の残留磁束値φｒａ，φｒｂ，φｒｃと、三相遮断器３のプレアーク特性及び閉極時間ばらつき特性と、三相変圧器１の三相遮断器３が接続されている側の巻線の結線条件と、三相電源２の各相間の電圧位相差に基づいて、各相の投入磁束誤差Δφａ，Δφｂ，Δφｃを基準相であるＡ相の閉極位相毎に算出し、各相の投入磁束誤差Δφａ，Δφｂ，Δφｃの最大値を最小にするように、基準相であるＡ相の目標閉極位相θｔａを決定するので、三相遮断器が投入されたときに三相変圧器１に発生する過渡電流としての励磁突入電流を従来技術に比較して安定して抑制することができる。
【００６７】
なお、本実施の形態において、残留磁束測定回路６において各相の残留磁束値φｒａ，φｒｂ，φｒｃをそれぞれ測定した。しかしながら、本発明はこれに限らず、残留磁束測定回路６を設けなくてもよい。このとき、目標閉極位相決定回路８は、残留磁束値φｒａ，φｒｂ，φｒｃに代えて、予め測定又は推定された各相の残留磁束値φｒａの上限値及び下限値と、残留磁束値φｒｂの上限値及び下限値と、残留磁束値φｒｃの下限値及び上限値と、三相遮断器３のプレアーク特性及び閉極時間ばらつき特性と、三相変圧器１の三相遮断器３が接続されている側の巻線の結線条件と、三相電源２の各相間の電圧位相差とに基づいて、各相の投入磁束誤差Δφａ，Δφｂ，Δφｃを算出する。具体的には、電圧位相α，β，γを上述の式（１）〜（３）の範囲内で所定の間隔でそれぞれ変化させ、耐電圧直線の傾きｒを閉極位相がθｃａのときの耐電圧直線の傾きｒａに対して上述の式（４）の範囲内で所定の間隔で変化させ、かつ、Ａ相，Ｂ相，Ｃ相の残留磁束値を上記下限値及び上限値の間の範囲内でそれぞれ変化させて、三相遮断器投入後の定常状態において発生する変圧器磁束の中心値の絶対値の最大値を、閉極位相θｃａでの各相の投入磁束誤差Δφａ，Δφｂ，Δφｃとすればよい。これにより、電圧測定器４を設置できず、残留磁束値φｒａ，φｒｂ，φｒｃを測定できないときにも、三相遮断器が投入されたときに三相変圧器１に発生する過渡電流としての励磁突入電流を、三相全てにおいて抑制することができる。
【００６８】
実施の形態２．
実施の形態１において、接触子３ａ，３ｂ，３ｃは閉極制御信号Ｓｃに応答して実質的に同時に閉極されると仮定した。しかしながら、実際には、全ての接触子３ａ，３ｂ，３ｃを実質的に同時に閉極するように制御しても、Ｂ相及びＣ相の各閉極時間はそれぞれ、Ａ相の閉極時間に対して所定の閉極時間平均値のずれ量だけずれる。
【００６９】
実施の形態２は、実施の形態１に比較して、
（１）三相遮断器特性メモリ７は、基準相であるＡ相の閉極時間に対するＢ相及びＣ相の各閉極時間平均値のずれ量を予めさらに格納し、
（２）目標閉極位相決定回路８はさらに、基準相であるＡ相の閉極時間に対する他の二相の各閉極時間平均値のずれ量に基づいて、三相遮断器３の目標閉極位相を決定することを特徴としている。
【００７０】
目標閉極位相決定回路８は、三相遮断器特性メモリ７から基準相であるＡ相の閉極時間に対するＢ相及びＣ相の各閉極時間平均値のずれ量を読み出し、当該各閉極時間平均値のずれ量を電圧位相差に変換する。例えば、基準相の閉極時間に対するＢ相及びＣ相の各閉極時間平均値のずれ量が＋１ミリ秒及び＋２ミリ秒であり、系統周波数が６０Ｈｚのときには、Ｂ相の閉極位相の１２０度からのずれの量Δｄｂは＋２１．６度になり、Ｃ相の閉極位相の２４０度からのずれの量Δｄｃは＋４３．２度になる。
これに対応して、前述の式（１）〜（３）を以下の式（５）〜（７）に置き換え、前述同様の演算を実行して、目標閉極位相θｔａを決定する。
（θｃａ−Δθｖ）≦α≦（θｃａ＋Δθｖ）          （５）
（θｃａ＋Δｄｂ−Δθｖ）≦β≦（θｃａ＋Δｄｂ＋Δθｖ）          （６）
（θｃａ＋Δｄｃ−Δθｖ）≦γ≦（θｃａ＋Δｄｃ＋Δθｖ）          （７）
【００７１】
本実施形態によれば、三相遮断器が投入されたときに三相変圧器１に発生する励磁突入電流を、実施の形態１に比較してさらに抑制することができる。
【００７２】
実施の形態３．
図８は、本発明の実施の形態３に係る変圧器励磁突入電流抑制装置４０Ａの構成を示すブロック図である。図８において、本実施の形態に係る変圧器励磁突入電流抑制装置４０Ａは、実施の形態１に係る変圧器励磁突入電流抑制装置４０（図１参照。）に比較して、各相の残留磁束値φｒａ，φｒｂ，φｒｃと基準相の目標閉極位相との間の関係を示すマップを格納するマップメモリ１０をさらに備え、目標閉極位相決定回路８に代えて目標閉極位相決定回路８Ａを備えたことを特徴としている。
【００７３】
図８において、目標閉極位相決定回路８Ａは、Ａ相，Ｂ相，Ｃ相の各残留磁束値φｒａ，φｒｂ，φｒｃの各組み合わせ毎に、各残留磁束値Ａ相，Ｂ相，Ｃ相と、三相遮断器３のプレアーク特性及び閉極時間ばらつき特性と、三相変圧器１の三相遮断器３が接続されている側の巻線の結線条件と、三相電源２の各相間の電圧位相差と、Ａ相の閉極時間に対するＢ相及びＣ相の各閉極時間平均値のずれ量に基づいて、各相の投入磁束誤差Δφａ，Δφｂ，Δφｃを基準相に対する閉極位相毎に決定し、各相の投入磁束誤差Δφａ，Δφｂ，Δφｃに関する評価値を実質的に最小にするように、基準相に対する目標閉極位相を決定し、各相の各残留磁束値φｒａ，φｒｂ，φｒｃの各組み合わせ毎に決定された基準相の目標閉極位相に基づいて上記マップを作成して予めマップメモリ１０に格納する。ここで、上記評価値は、投入磁束誤差Δφａ，Δφｂ，Δφｃの最大値である。目標閉極位相決定回路８Ａは、上記マップを参照して、各相の残留磁束値φｒａ，φｒｂ，φｒｃに基づいて基準相の目標閉極位相を決定する。これにより、励磁突入電流抑制装置４０Ａの運用時における目標閉極位相の決定のための演算量を減少させることができ、安価な演算装置を用いて目標閉極位相を速く決定できる。なお、上記評価値は、投入磁束誤差Δφａ，Δφｂ，Δφｃの和であってもよい。
【００７４】
変形例．
上記各実施の形態において、目標閉極位相決定回路８、８Ａは、各相の投入磁束誤差Δφａ，Δφｂ，Δφｃの和の値を最小にするように、基準相の目標閉極位相を決定してもよい。これにより、上記各実施の形態と同様に、三相遮断器が投入されたときに三相変圧器１に発生する励磁突入電流を抑制することができる。
【００７５】
また、上記各実施の形態において、電圧測定器５、４ａ，４ｂ，４ｃは、三相変圧器１の一次巻線側における三相電源２の電圧をそれぞれ測定しているが、本発明はこれに限らず、三相変圧器１の二次巻線側又は三次巻線側の電圧を測定してもよい。また、電圧測定器５、４ａ，４ｂ，４ｃは三相電源２からの各相の対地電圧を測定しているが、本発明はこれに限らず、相間電圧を測定してもよい。
【００７６】
さらに、三相遮断器コントローラ９を、特許文献２に記載の閉極制御手段又は特許文献３に記載の制御信号出力手段と同様に構成してもよい。
【００７７】
またさらに、三相の残留磁束φｒａ，φｒｂ，φｒｃの和はゼロであるので、電圧測定器４ａ，４ｂ，４ｃのうちの２つの電圧測定器のみを設け、残留磁束測定回路６において二相の残留磁束値を算出し、残りの一相の残留磁束値を算出された二相の残留磁束値の和の逆符号として算出してもよい。また、三相遮断器３の開極位相を、残留磁束φｒａ，φｒｂ，φｒｃを所定値にするように制御してもよい。このときは、電圧測定器４及び残留磁束測定回路６を設けず、上記所定値を目標閉極位相決定回路８、８Ａに出力すればよい。
【産業上の利用可能性】
【００７８】
以上詳述したように、本発明に係る変圧器励磁突入電流抑制装置によれば、三相電源の第１乃至第３相の各残留磁束値と、三相遮断器のプレアーク特性及び閉極時間ばらつき特性と、三相変圧器の三相遮断器が接続されている側の巻線の結線条件と、三相電源の各相間の電圧位相差とに基づいて、投入後の定常状態において発生する変圧器磁束の中心値の絶対値の最大値である投入磁束誤差を、各相に対して第１相の閉極位相毎に決定し、決定された第１乃至第３相の投入磁束誤差に関する評価値を実質的に最小にするように、第１相の目標閉極位相を決定する目標閉極位相決定手段を備えたので、励磁突入電流を、三相全てにおいて抑制することができる。
【符号の説明】
【００７９】
１  三相変圧器、２  三相電源、３  三相遮断器、３ａ，３ｂ，３ｃ  接触子、４、４ａ，４ｂ，４ｃ、５  電圧測定器、６  残留磁束測定回路、７  三相遮断器特性メモリ、８、８Ａ  目標閉極位相決定回路、９  三相遮断器コントローラ、１０  マップメモリ、４０、４０Ａ  変圧器励磁突入電流抑制装置、Ｌ１，Ｌ２，Ｌ３  巻線。
【図１】
2010035778.tif 000030
【図２】
2010035778.tif 000031
【図３】
2010035778.tif 000032
【図４】
2010035778.tif 000033
【図５】
2010035778.tif 000034
【図６】
2010035778.tif 000035
【図７】
2010035778.tif 000036
【図８】
2010035778.tif 000037
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
三相変圧器を三相電源に対して三相同時に投入する三相遮断器において当該投入時に当該三相変圧器に発生する励磁突入電流を抑制する変圧器励磁突入電流抑制装置であって、
第１相の閉極位相を０〜３６０度の範囲で変化させながら上記三相遮断器を閉極したときに上記三相遮断器の投入後の定常状態において発生する変圧器磁束の中心値の最大ずれ量に相当する第１乃至第３相の投入磁束誤差を算出して第１乃至第３相の投入磁束誤差の評価値を最小にする目標閉極位相を決定する目標閉極位相決定手段と、
上記三相遮断器を上記目標閉極位相決定手段によって決定された上記目標閉極位相で閉極するように制御する三相遮断器制御手段とを備え、
上記目標閉極位相決定手段は、
上記三相変圧器の第１乃至第３相の残留磁束値と、
上記三相遮断器のプレアーク特性に基づく耐電圧直線の傾きのばらつきと、
上記三相遮断器の閉極時間のばらつきと、
上記三相変圧器の上記三相遮断器が接続されている側の巻線の結線条件とに基づいて
上記耐電圧直線の傾き及び上記閉極時間の取りうる値で変化させて第１乃至第３相の投入磁束誤差を算出することを特徴とする変圧器励磁突入電流抑制装置。
【請求項２】
上記評価値は、上記第１乃至第３相の投入磁束誤差の最大値であることを特徴とする請求項１記載の変圧器励磁突入電流抑制装置。
【請求項３】
上記評価値は、上記第１乃至第３相の投入磁束誤差の和であることを特徴とする請求項１記載の変圧器励磁突入電流抑制装置。
【請求項４】
上記目標閉極位相決定手段はさらに、上記第１相の閉極時間に対する他の二相の各閉極時間平均値のずれ量に基づいて上記投入磁束誤差を決定することを特徴とする請求項１乃至３のうちのいずれか１つの請求項記載の変圧器励磁突入電流抑制装置。
【請求項５】
上記目標閉極位相決定手段は、上記第１の残留磁束値の上限値及び下限値と、上記第２の残留磁束値の上限値及び下限値と、上記第３の残留磁束値の上限値及び下限値と、上記三相遮断器のプレアーク特性に基づく耐電圧直線の傾きのばらつき及び閉極時間のばらつきと、上記三相変圧器の上記三相遮断器が接続されている側の巻線の結線条件と、上記電圧位相差とに基づいて、上記投入磁束誤差を、上記各相に対して上記第１相の閉極位相毎に決定することを特徴とする請求項１乃至４のうちのいずれか１つの請求項記載の変圧器励磁突入電流抑制装置。
【請求項６】
各相の残留磁束値と上記目標閉極位相との間の関係を示すマップを格納するマップメモリをさらに備え、
上記目標閉極位相決定手段は、
上記第１乃至第３相の各残留磁束値の各組み合わせ毎に、上記第１乃至第３相の各残留磁束値と、上記三相遮断器のプレアーク特性に基づく耐電圧直線の傾きのばらつき及び閉極時間のばらつきと、上記三相変圧器の上記三相遮断器が接続されている側の巻線の結線条件と、上記電圧位相差とに基づいて、上記投入磁束誤差を上記各相に対して上記第１相の閉極位相毎に決定し、上記第１乃至第３相の投入磁束誤差に関する評価値を最小にするように、上記第１相の目標閉極位相を決定し、
上記第１乃至第３相の各残留磁束値の各組み合わせ毎に決定された上記第１相の目標閉極位相に基づいて上記マップを作成して予め上記マップメモリに格納し、上記マップを参照して、上記第１乃至第３相の各残留磁束値に基づいて、上記第１相の目標閉極位相を決定することを特徴とする請求項１乃至４のうちのいずれか１つの請求項記載の変圧器励磁突入電流抑制装置。
【手続補正２】
【補正対象書類名】明細書
【補正対象項目名】０００８
【補正方法】変更
【補正の内容】
【０００８】
本発明に係る変圧器励磁突入電流抑制装置は、三相変圧器を三相電源に対して三相同時に投入する三相遮断器において当該投入時に当該三相変圧器に発生する励磁突入電流を抑制する変圧器励磁突入電流抑制装置であって、第１相の閉極位相を０〜３６０度の範囲で変化させながら上記三相遮断器を閉極したときに上記三相遮断器の投入後の定常状態において発生する変圧器磁束の中心値の最大ずれ量に相当する第１乃至第３相の投入磁束誤差を算出して第１乃至第３相の投入磁束誤差の評価値を最小にする目標閉極位相を決定する目標閉極位相決定手段と、上記三相遮断器を上記目標閉極位相決定手段によって決定された上記目標閉極位相で閉極するように制御する三相遮断器制御手段とを備え、上記目標閉極位相決定手段は、上記三相変圧器の第１乃至第３相の残留磁束値と、上記三相遮断器のプレアーク特性に基づく耐電圧直線の傾きのばらつきと、上記三相遮断器の閉極時間のばらつきと、上記三相変圧器の上記三相遮断器が接続されている側の巻線の結線条件とに基づいて上記耐電圧直線の傾き及び上記閉極時間の取りうる値で変化させて第１乃至第３相の投入磁束誤差を算出することを特徴とする変圧器励磁突入電流抑制装置である。
【手続補正３】
【補正対象書類名】明細書
【補正対象項目名】０００９
【補正方法】変更
【補正の内容】
【０００９】
本発明に係る変圧器励磁突入電流抑制装置によれば、三相変圧器を三相電源に対して三相同時に投入する三相遮断器において当該投入時に当該三相変圧器に発生する励磁突入電流を抑制する変圧器励磁突入電流抑制装置であって、第１相の閉極位相を０〜３６０度の範囲で変化させながら上記三相遮断器を閉極したときに上記三相遮断器の投入後の定常状態において発生する変圧器磁束の中心値の最大ずれ量に相当する第１乃至第３相の投入磁束誤差を算出して第１乃至第３相の投入磁束誤差の評価値を最小にする目標閉極位相を決定する目標閉極位相決定手段と、上記三相遮断器を上記目標閉極位相決定手段によって決定された上記目標閉極位相で閉極するように制御する三相遮断器制御手段とを備え、上記目標閉極位相決定手段は、上記三相変圧器の第１乃至第３相の残留磁束値と、上記三相遮断器のプレアーク特性に基づく耐電圧直線の傾きのばらつきと、上記三相遮断器の閉極時間のばらつきと、上記三相変圧器の上記三相遮断器が接続されている側の巻線の結線条件とに基づいて上記耐電圧直線の傾き及び上記閉極時間の取りうる値で変化させて第１乃至第３相の投入磁束誤差を算出するので、励磁突入電流を、三相全てにおいて抑制することができる。
【国際調査報告】
2010035778.tif 000038
2010035778.tif 000039